(57)【要約】【課題】  すべり部材を製作して組み付ける手間を省くことができる遊技機を提供する。【解決手段】  外枠１０の下部に下受け板１１が設けられる。外枠１０の前側に合成樹脂製の本体枠３０がヒンジ機構２０によって開閉可能に装着される。本体枠３０が閉じられたときには、同本体枠３０の下端面が下受け板１１の上面に支承されるように構成される。【選択図】        図１４
2005261936.tif 000002
【特許請求の範囲】
【請求項１】
外枠の前下部に下受け板が設けられ、前記外枠の前側に合成樹脂製の本体枠がヒンジ機構によって開閉可能に装着されるとともに、前記本体枠が閉じられたときには、同本体枠の下端面が前記下受け板の上面に支承されるように構成されたことを特徴とする遊技機。
【発明の詳細な説明】
【技術分野】
【０００１】
この発明は、パチンコ機（アレンジボール機、雀球機等も含む）やスロットマシン等の遊技機に関する。
【背景技術】
【０００２】
従来、例えば、パチンコ機において、外枠の前下部に下受け板が設けられ、外枠の前側に本体枠（前枠、内枠等と呼ばれることもある）がヒンジ機構によって開閉可能に装着され、本体枠が閉じられたときには、その下端面が下受け板の上面に支承されるように構成されているのが一般的である。
本体枠には、遊技盤装着枠が設けられ、その遊技盤装着枠には遊技盤が着脱交換可能に装着される。遊技盤には、その前面に各種の入賞装置、役物装置等が装着され、後面に制御基板ボックス等が装着される。
また、本体枠には、その前側にガラス扉が開閉可能に装着され、後側に機構装着体（裏セット板、裏機構板等と呼ばれることもある）が配置される。この機構装着体の後側には球タンク、タンクレール、球払出装置等が装着されるようになっている。
このようにして、本体枠には、各種の装置、部材等が装着されるため、重量が非常に重くなり、本体枠の開閉動作時には、本体枠が、それ自身の重量や本体枠に装着される各種装置、部材の重量により自由端側が下傾した姿勢となる。そして、この下傾姿勢の状態で本体枠を閉じようとすると、本体枠の下面後縁が、外枠の下受け板の上面前縁に当たるため、本体枠の自由端側を持ち上げながら閉じなければならず、厄介であった。
そこで、本体枠の開閉動作を円滑化するために、下受け板（腰板）の上端面を跨ぐようにしてコ字形に形成した金属製のすべり部材をビスによって取り付け、そのすべり部材に、ほぼ弧状に膨出する畝状突部を形成したものが知られている（例えば、特許文献１参照）。
すなわち、特許文献１に開示されたものにおいては、本体枠を閉じる際、本体枠の下端面の当板をすべり部材の畝状突部に接触させながら本体枠を閉じることによって、下傾姿勢にある本体枠の姿勢が矯正されるようになっている。
【特許文献１】特開２００４ー８１６０６号公報
【発明の開示】
【発明が解決しようとする課題】
【０００３】
ところで、特許文献１に開示されたものにおいては、本体枠とは別個に金属製のすべり部材を製作し、そのすべり部材を、外枠の下受け板（腰板）の上端面を跨ぐようにしてビスによって取り付けなければならず、多くの手間が必要となる。
また、特許文献１に開示されたものにおいては、外枠のすべり部材の畝状突部に接触させながら本体枠を閉じる構造上、本体枠の下傾姿勢が顕著である場合には、外枠のすべり部材の畝状突部に本体枠の下端面が当たって同本体枠の閉じ動作を阻害する場合がある。
【０００４】
この発明の目的は、前記問題点に鑑み、すべり部材を製作して組み付ける手間を省くことができるとともに、本体枠の下傾姿勢が顕著である場合においても外枠に対し本体枠を軽快に閉じることができる遊技機を提供することである。
【課題を解決するための手段】
【０００５】
前記目的を達成するために、請求項１の発明に係る遊技機は、
「外枠の前下部に下受け板が設けられ、前記外枠の前側に合成樹脂製の本体枠がヒンジ機構によって開閉可能に装着されるとともに、前記本体枠が閉じられたときには、同本体枠の下端面が前記下受け板の上面に支承されるように構成された遊技機であって、
前記本体枠の下部には、同本体枠が閉じられるときに前記下受け板の上縁部に接して滑走することで前記本体枠の下傾姿勢を矯正する滑走用突部が設けられ、
前記滑走用突部は、前記本体枠の成形と同時に一体に形成されて左右方向に所定の長さをもち、かつ略円弧状、湾曲状、傾斜状等をなして突出し、
前記滑走用突部の突出量は、ヒンジ側から自由端側に向けてしだいに大きく設定されていることを特徴とする遊技機。」を要旨とするものである。
【０００６】
前記構成において、合成樹脂製の本体枠の成形と同時に、その本体枠の下部に下傾姿勢を矯正する滑走用突部を一体に形成することによって、滑走用突部を別個に製作して組み付ける手間を省くことができる。
特に、滑走用突部は、滑走用突部は、本体枠の成形と同時に一体に形成されて左右方向に所定の長さをもち、かつ略円弧状、湾曲状、傾斜状等をなして突出し、その滑走用突部の突出量は、ヒンジ側から自由端側に向けてしだいに大きく設定されている。
このため、本体枠が閉じられるときには、滑走用突部が、そのヒンジ側端部から自由端側に向けて下受け板の上縁部に順次に接して滑走する。これによって、本体枠の下傾姿勢がしだいに（緩やかに）矯正されて閉じ位置まで閉じられる。
すなわち、滑走用突部の横断面形状が左右方向の全長にわたって均一に形成され、その突出量が変化しない場合、本体枠が、その一側のヒンジ機構のヒンジ軸線を中心として閉じられるときに、滑走用突部のヒンジ側端部に対し本体枠の荷重が集中的に作用する。
このため、本体枠の閉じ動作が抑制され、大きい閉じ力が必要となるとともに、滑走用突部のヒンジ側端部が損傷されたり、あるいは摩耗されることがある。
これに対し、滑走用突部の突出量がヒンジ側から自由端側に向けてしだいに大きく形成されることで、滑走用突部におけるヒンジ側端部に対し本体枠の荷重が集中的に作用することを軽減することができるとともに、下傾姿勢にある本体枠を滑走用突部によって少しずつ持ち上げながら本体枠の下傾姿勢を矯正して閉じることができる。
この結果、本体枠の下傾姿勢が顕著である場合においても外枠に対し本体枠を軽快に閉じることができる。しかも、比較的小さい閉じ力において本体枠を円滑に閉じ動作することができるとともに、滑走用突部のヒンジ側端部が集中的に損傷されたり、あるいは摩耗されることを軽減することができ、耐久性の向上を図ることができる。
また、合成樹脂製の本体枠と一体に形成される滑走用突部は、金属製のものと比べ摩耗されやすいが、前記したようにして摩耗を防止することによって、合成樹脂製でありながら耐久性の向上を図ることができる。
なお、請求項１において、滑走用突部を、その根元部の下端面が本体枠の下端面と略同一面をなして連続させるように構成した場合には、外枠に対し本体枠が閉じられた状態において、本体枠の下端面が外枠の下受け板の上端面に当接して安定よく受けられるとともに、本体枠の下端面と、外枠の下受け板の上端面との間に、滑走用突部が原因となる隙間の発生を防止することが可能となる。
この結果、外枠の下受け板の上端面と本体枠の下端面との間の隙間からワイヤ等の異物が不測に侵入されて、不正行為がなされることを防止することができる。
【０００７】
請求項２の発明に係る遊技機は、
「請求項１に記載の遊技機であって、
本体枠の下端面には、その厚さ方向の略中央部から後端にわたって所定角度の面取り状の傾斜面が形成され、
滑走用突部は、前記傾斜面に突設されていることを特徴とする遊技機。」を要旨とするものである。
【０００８】
前記構成において、本体枠の開閉動作時において、本体枠の下端面に形成された面取り状の傾斜面によって、本体枠の下端面が、外枠の下受け板の上面前縁に接触することが避けられるため、この分だけ本体枠の開閉動作を軽快に行うことができる。
また、本体枠の下端面の面取り状の傾斜面に滑走用突部が形成されることによって、本体枠の下部後方に滑走用突部を突出させる必要がない。
さらに、本体枠が閉じられる際、滑走用突部が外枠の下受け板の上縁部に接して滑走するときに滑走用突部に作用する荷重を面取り状の傾斜面において良好に受け支えることができ、前記滑走用突部に作用する荷重によって同滑走用突部が破損されることを防止することができる。
これに対し、本体枠の下部後側に滑走用突部を後方に向けて突出させると、滑走用突部が外枠の下受け板の上縁部に接して滑走するときに滑走用突部に作用する荷重によって滑走用突部が損傷されやすくなる。さらに、本体枠の開放時において、滑走用突部が突起物となり、異物が引っ掛ったり、あるいは異物が衝突する等の不具合が発生する場合があるが、前記したように、本体枠の下端面の面取り状の傾斜面に滑走用突部を形成することによって、前記不具合を防止することができる。
【０００９】
請求項３の発明に係る遊技機は、
「請求項１又は２に記載の遊技機であって、
滑走用突部は、左右方向に所定間隔を保って形成された複数のリブ状突部によって構成されていることを特徴とする遊技機。」
を要旨とするものである。
【００１０】
前記構成において、左右方向に所定間隔を保って形成された複数のリブ状突部によって滑走用突部が構成されるため、樹脂成形の「ヒケ」による凹凸の歪みが複数のリブ状突部やその近傍に発生することを防止することができ、複数のリブ状突部を精度よく形成することができる。
【発明の効果】
【００１１】
この発明によれば、合成樹脂製の本体枠の成形と同時に、その本体枠の下部に、下傾姿勢を矯正する滑走用突部を一体に形成することによって、滑走用突部を別個に製作して組み付ける手間を省くことができる。
特に、滑走用突部の後方への突出量がヒンジ側から自由端側に向けてしだいに大きく形成されることで、本体枠の下傾姿勢が顕著である場合においても外枠に対し本体枠を軽快に閉じることができる。しかも、比較的小さい閉じ力において本体枠を円滑に閉じ動作することができるとともに、滑走用突部のヒンジ側端部が損傷されたり、あるいは摩耗されることを軽減することができ、耐久性の向上を図ることができる。
【発明を実施するための最良の形態】
【００１２】
次に、この発明を実施するための最良の形態を実施例にしたがって説明する。
【実施例】
【００１３】
図１は遊技機の外枠の一側に本体枠が開かれその本体枠の一側にガラス扉が開かれた状態を示す斜視図である。図２は遊技機の前側全体を示す正面図である。図３は遊技機の後側全体を示す背面図である。図４は遊技機の後側上部を拡大して示す部分背面図である。図５は図４のＶ−Ｖ線に基づく側断面図である。図６は図４のＶＩ−ＶＩ線に基づく側断面図である。図７は遊技機の本体枠と遊技盤とを分離して斜め右上前方から示す斜視図である。図８は遊技機の本体枠に各種部材が組み付けられた状態を斜め右上前方から示す斜視図である。図９は本体枠単体を斜め右上前方から示す斜視図である。図１０は本体枠を斜め右上後方から示す斜視図である。図１１は本体枠単体を斜め右上後方から示す斜視図である。図１２は本体枠側の回路基板及び各スイッチと遊技盤側の各回路基板の接続状態を示すブロック図である。図１３は本体枠、電源スイッチ、ＲＡＭ消去スイッチ、ガラス扉、囲い壁及び蓋部の関係を拡大して示す平断面図である。図１４は外枠と本体枠とを分離した状態を示す斜視図である。図１５は外枠に対し本体枠が閉じられた状態の本体枠開閉用ヒンジ機構の下の外枠側ヒンジ金具と下の本体枠側ヒンジ金具を示す斜視図である。図１６は本体枠開閉用ヒンジ機構の下の外枠側ヒンジ金具と下の本体枠側ヒンジ金具を示す正面図である。図１７は外枠の下受け板、外枠側ヒンジ金具及び当て板の配設状態を示す斜視図である。図１８は外枠の下受け板の基材部と前装飾体とが分離された状態を示す斜視図である。図１９は外枠の下受け板の当て板と本体枠の下端部の滑走用突部との関係を示す断面図である。図２０は図１９のＸＸ−ＸＸ線に基づく断面図である。図２１は本体枠の下端部の滑走用突部を斜め下方から示す斜視図である。図２２は外枠の下受け板の当て板と、本体枠の下端部の滑走用突部のヒンジ側リブ状突部との関係を示す断面図である。図２３は外枠の下受け板の当て板と、本体枠の下端部の滑走用突部の自由端側リブ状突部との関係を示す断面図である。図２４は本体枠の下端部の滑走用突部の実施態様を示す断面図である。なお、説明の便宜上、遊技機において遊技者側を前、反対側を後として説明する。
【００１４】
［遊技機の概要について］
図１〜図３に示すように、遊技機としてのパチンコ機は、外枠１０、本体枠３０、ガラス扉８０、遊技盤１２０等を備えて構成されている。
外枠１０は、上下左右の木製の枠材によって縦長四角形の枠状に形成され、同外枠１０の前側下部には、本体枠３０の下面を受ける下受け板１１を有している。
外枠１０の前面の片側には、本体枠開閉用ヒンジ機構２０によって本体枠３０が前方に開閉可能に装着されている。なお、外枠１０の下受け板１１については後に詳述する。
【００１５】
［本体枠の概要について］
図７〜図１１に示すように、本体枠３０は、前枠体３５、遊技盤装着枠１００及び機構装着体１６０を合成樹脂材によって一体成形することで構成されている。
また、この実施例において、合成樹脂製の本体枠３０は、図９と図１１に示すように、前段部３１と、その前段部３１の後側において、同前段部３１の外周よりも小さい外周壁３２ａ、３３ａを有しかつ同前段部３１の後側周囲に段差部をもって形成された中段部３２と、その中段部３２の後側において同中段部３２の外周壁よりも小さい外周壁を有しかつ同中段部３２の後側周囲に段差部をもって形成された後段部３３を有して複数段の段差状に形成されている。
また、中段部３２及び後段部３３の各外周壁は、前側が広く、後側が狭くなる傾斜面をなしている。
そして、前段部３１に前枠体３５が形成され、中段部３２に遊技盤装着枠１００が形成され、中段部３２の後側と後段部３３に機構装着体１６０が形成されている。
【００１６】
［本体枠の前枠体について］
図１と図７に示すように、本体枠３０の前段部３１に形成された前枠体３５は、外枠１０前側の下受け板１１を除く外郭形状に対応する大きさの矩形枠状に形成されている。そして、前枠体３５の片側の上下部には、本体枠側ヒンジ金具２６が固定され、その本体枠側ヒンジ金具２６において、外枠１０の片側の上下部に固定された外枠側ヒンジ金具２１にヒンジピンとヒンジ孔によって開閉回動可能に装着されている。すなわち、外枠側ヒンジ金具２１、本体枠側ヒンジ金具２６、ヒンジピン及びヒンジ孔によって本体枠開閉用ヒンジ機構２０が構成されている。なお、本体枠開閉用ヒンジ機構２０の下の外枠側ヒンジ金具２１及び下の本体枠側ヒンジ金具２６については後に詳述する。
【００１７】
［本体枠のスピーカボックスについて］
図８と図９に示すように、前枠体３５の前側において、遊技盤装着枠１００よりも下方に位置する前枠体３５の前下部領域の一側寄りにはスピーカボックス５０が一体に形成され、そのスピーカボックス５０の前側開口部には、同開口部を塞ぐようにしてスピーカ装着板１０７が装着されている。そして、スピーカ装着板１０７にはスピーカ１０９が装着されている。
また、図９と図１１に示すように、スピーカボックス５０は、前側が大きく後側に向けてしだいに小さくなった複数段の段差箱形状に形成されている。さらに、スピーカボックス５０の各段部の外周壁５０ａは、前側が広く、後側が狭くなる傾斜面をなしている。
【００１８】
また、図８と図９に示すように、前枠体３５前面の下部領域内には、その上側部分に発射レール装着部４１が形成され、下側部分には、下皿装着部４３が発射レール装着部４１よりも前側に突出して段差状に形成されている。
そして、発射レール装着部４１には、遊技盤１２０の発射通路に向けて球を導く発射レール１００が傾斜状に装着されている。
また、下皿装着部４３の前側には、その下皿装着部４３を覆うようにして下部前面板４４が装着されている。下部前面板４４の前面の略中央部には、下皿４５が設けられ、片側寄りには操作ハンドル４６が設けられている（図１参照）。
【００１９】
図１０〜図１４に示すように、前枠体３５の後側において、遊技盤装着枠１００よりも下方に位置する前枠体３５の後下部領域の片側（図１４に向かって左側）には、発射レール４２の下傾端部の発射位置に送られた球を発射するための発射ハンマー６３、その発射ハンマー６３を作動する発射モータ６２等が取付基板６１に組み付けられてユニット化された発射装置ユニット６０が装着されている。
また、図３、図１０及び図１４に示すように、前枠体３５の後下部領域の略中央部には、電源基板６７を有する電源基板ボックス６６、払出制御基板６９を有する払出制御基板ボックス６８が前後に重ね合わされた状態で装着されている。
また、図１０に示すように、前枠体３５の後下部領域の他側寄り部分（ヒンジ寄り部分）には、そのスピーカボックス５０の後段差部の凹み部分において下皿用球誘導ケース１８０が装着されている。この下皿用球誘導ケース１８０は上皿が満杯になったときに球を下皿に導くための球誘導路（図示しない）が形成されている。また、下皿用球誘導ケース１８０の後壁部には、インタフェース基板２４０を収納している基板ボックス２４１が装着されている。
【００２０】
［施錠装置について］
図１と図１４に示すように、前枠体３５のヒンジ機構と反対側に自由端側の後側には、外枠１０に対し本体枠３０を施錠する機能と、本体枠３０に対しガラス扉８０を施錠する機能とを兼ね備えた施錠装置９０が装着されている。
すなわち、この実施例において、施錠装置９０は、本体枠３０の前枠体３５の自由端側の後側に固定状態で装着された上下方向に長尺な取付基板９１と、その取付基板９１に対し上下方向に移動可能に組み付けられかつばねによってロック方向にそれぞれ個別に付勢された本体枠施錠板と扉施錠板とを備えて構成されている。
そして、本体枠施錠板には、外枠１０に設けられた閉止具１７に係脱可能に係合して本体枠３０を閉じ状態に施錠する上下複数の本体枠施錠フック９３が後方に向けて突出されている。
【００２１】
また、扉施錠板には、ガラス扉８０の自由端側の後側に設けられた閉止具８９に係脱可能に係合してガラス扉８０を閉じ状態に施錠する上下複数の扉施錠フック９６が前方に向けて突出されている。これら扉施錠フック９６は、前枠体３５の自由端寄り部分に貫設された貫通孔に挿通されてガラス扉８０後側の閉止具８９に係脱可能に臨んでいる。
また、取付基板９１の所定位置には、シリンダー錠９８が装着され、そのシリンダー錠９８の前端部は、遊技機の前方から鍵を挿入されて解錠操作可能に、前枠体３５及び下部前面板４４を貫通してその下部前面板４４の前面に露出されている。
そして、シリンダー錠９８の鍵穴に鍵が挿入されて一方向に回動操作されることで本体枠施錠フック９３と外枠１０の閉止具１７との係合が外れて本体枠３０が解錠され、これとは逆方向に回動操作されることで、扉施錠フック９６とガラス扉８０の閉止具８９との係合が外れてガラス扉８０が解錠されるようになっている。
【００２２】
［ガラス扉について］
図１と図２に示すように、前枠体３５の前面の片側には、その前枠体３５の上端から下部前面板４４の上縁にわたる部分を覆うようにしてガラス扉８０が扉開閉用ヒンジ機構７０によって前方に開閉可能に装着されている。ガラス扉８０のヒンジ機構７０と反対側に自由端側の後側には、施錠装置９０の扉施錠フック９６に係脱可能に係合してガラス扉８０を閉じ状態に施錠する閉止具８９が設けられている。
また、ガラス扉８０の略中央部には、後述する遊技盤１２０の遊技領域１２４を前方から透視可能な略円形の開口窓８１が形成されている。また、ガラス扉８０の後側には開口窓８１よりも大きな矩形枠状をなす窓枠８２が設けられ、その窓枠８２にはガラス板、透明樹脂板等の透明板８３が装着されている。
また、ガラス扉８０の前面の略全体は、ランプ等が内設された前面装飾部材によって装飾され、同ガラス扉８０の前面の下部には上皿部材８６が形成されている（図２参照）。
【００２３】
［本体枠の遊技盤装着枠について］
図７と図８に示すように、本体枠３０の遊技盤装着枠１００は、前枠体３５の後側に設けられかつ遊技盤１２０が前方から着脱交換可能に装着されるようになっている。
すなわち、この実施例において、遊技盤装着枠１００は、遊技盤１２０が前方から着脱交換可能に嵌込まれる嵌込み枠部１０２を有し、その嵌込み枠部１０２の奥側の枠部内周には遊技盤１２０の後側の周縁部を受け止める後面受け部１０３が形成されている。
また、嵌込み枠部１０２の一側内壁面の上下部２箇所には、後面受け部１０３との間に遊技盤１２０の一側部が差し込み可能な間隔を隔てて前面押え部１０４が形成されている。
【００２４】
また、図８に示すように、嵌込み枠部１０２の他側内壁面の上下部２箇所には、遊技盤１２０のロック部材１３０に対応する係止部１０６が形成されている。
また、嵌込み枠部１０２の他側部近傍には、本体枠３０側の電装機器と遊技盤１２０側の電装機器とを電気的に接続するための本体枠側の第１、第２のコネクタ１１１、１１２が設置されている。
また、図１と図８に示すように、嵌込み枠部１０２の下側部には、遊技盤１２０の前面下部を嵌込み枠部１０２の後面受け部１０３に押さえ付けて緊締するターンバックル形式の緊締具１４９が装着されている。
【００２５】
［遊技盤について］
図７に示すように、遊技盤１２０は、遊技盤装着枠１００の嵌込み枠部１０２の前方から嵌込まれる大きさの略四角板状に形成されている。遊技盤１２０の盤面（前面）には、外レール１２２と内レール１２３とを備えた案内レール１２１が設けられ、その案内レール１２１の内側に遊技領域１２４が区画形成されている。
遊技盤１２０には、その遊技領域１２４内において、遊技に関する役物装置、例えば、センタ役物と呼ばれる役物装置１４０、図柄表示装置１４５、入賞装置等の役物装置や風車器、誘導釘、ランプ装飾部材等の各種の装備品が配設されている。これら各種の装備品のうち、所定の装備品の後部、この実施例では、役物装置１４０の役物本体１４１の後部が遊技盤１２０の後側に突出して配設される。
また、遊技盤１２０の前面には、その案内レール１２１の外側領域において、合成樹脂製の前構成部材１２０ａが装着されている。
【００２６】
この実施例において、図５に示すように、役物装置１４０の役物本体１４１には、略中央部に開口窓が形成され、図柄表示装置（例えば、液晶表示器、ＥＬ表示器，プラズマ表示器，ＣＲＴ等）１４５の表示面は役物本体１４１の後側においてその開口窓に臨んで装着されている。
そして、役物本体１４１は、遊技盤１２０の中央部に貫設された組付孔に嵌込まれ、同役物本体１４１の後部及び図柄表示装置１４５の図柄制御基板１４６を有する図柄制御基板ボックス１４６は遊技盤１２０の後側に突出して配設されている。
【００２７】
また、図７と図８に示すように、遊技盤１２０前面の前構成部材１２０ａの他側寄りの上下２箇所には、嵌込み枠部１０２の係止部１０６に対応する位置においてロック部材１３０がピンと左右方向の長孔によって回動操作可能に装着されている。
そして、遊技盤１２０（前構成部材１２０ａを含む）は、その左右の一側部が遊技盤装着枠１００の後面受け部１０３と前面押え部１０４との間に差し込まれ、ロック部材１３０の先端のロック部が嵌込み枠部１０２の係止部１０６に差し込まれて係合されることで遊技盤装着枠１００に装着されるようになっている（図１参照）。
【００２８】
図３と図１４に示すように、遊技盤１２０の後側下部には、その中央部から下部にわたる部分において、各種入賞装置に流入した球を受けかつその球を所定位置まで導く集合樋としての機能とボックス装着部としての機能を兼ね備えたボックス装着台が設けられている。このボックス装着台には、音声制御基板、ランプ制御基板等の副制御基板１５６が収納された副制御基板ボックス１５５と、主制御基板１５２が収納された主制御基板ボックス１５１とが前後に重ね合わされた状態で装着されている。
さらに、遊技盤１２０の後側に対しボックス装着台、副制御基板ボックス１５５及び主制御基板ボックス１５１がそれぞれ装着された状態において、本体枠３０の遊技盤装着枠１００の前方からその嵌込み枠部１０２内に遊技盤１２０を嵌込んで装着できるように、遊技盤１２０の外郭より外側にはみ出すことなくボックス装着台、副制御基板ボックス１５５及び主制御基板ボックス１５１が配置されている。
【００２９】
また、この実施例において、遊技盤１２０の後側の他側寄り下部には、遊技盤装着枠１００の前方からその嵌込み枠部１０２内に遊技盤１２０を嵌込む動作によって、本体枠側第１、第２のコネクタ１１１、１１２に挿脱可能に差し込まれる遊技盤側第１、第２のコネクタ１２５、１２６が設置されている（図７及び図８参照）。
【００３０】
［本体枠の機構装着体について］
図１０と図１１に示すように、本体枠３０の機構装着体１６０には、タンク装着部１６１、レール装着部１７０、払出装置装着部２００等がそれぞれ形成されている。
すなわち、機構装着体１６０の上部には、中段部３２の上部後壁部３２ａと、後段部３３の外周壁の上向き面３３ａにわたってタンク装着部１６１が形成されている。
また、タンク装着部１６１の前側壁（すなわち、中段部３２の上部後壁部３２ａ）には、次に述べる球タンク１６５の両取付部１６６が上方から差し込み可能な差込溝を有する左右一対の支持片１６１ａと、球タンク１６５の係止孔に係合可能な係止片１６１ｂとがそれぞれ形成されている。
また、タンク装着部１６１の底部（後段部３３の外周壁の上向き面３３ａ）には、球タンク１６５の下部を受けるタンク受け部１６２が形成されている。
この実施例では、後段部３３の外周壁の上向き面３３ａの後端部分をタンク受け部１６２とし、そのタンク受け部１６２によって球タンク１６５の底板部１６７の下面後端部が支承可能となっている（図５参照）。
【００３１】
［球タンクについて］
球タンク１６５は、透明な合成樹脂材よりなり、島設備から供給される多数の球が貯留可能な上方に開口する箱形状に形成されている。そして、球タンク１６５の球の貯留状態が球タンク１６５の後側壁を透して視認可能となっている。
図１０に示すように、球タンク１６５の前側の左右両端部には取付部１６６が突出されている。また、球タンク１６５の前側壁にはタンク装着部１６１の係止片１６１ｂの上方から掛け止め可能な係止孔が貫設されている。
また、球タンク１６５の底板部１６７の後側隅部には球を放出する放出口１６８が形成されるとともに、底板部１６７は、放出口１６８に向けて下傾する傾斜面に形成されている。
そして、球タンク１６５は、その取付部１６６がタンク装着部１６１の左右一対の支持片１６１ａの差込溝の上方から差し込まれ、係止孔に係止片１６１ｂが係合することによって、タンク装着部１６１に装着されるようになっている。
この球タンク１６５の装着状態において、球タンク１６５の底板部１６７の下面後端部がタンク受け部１６２によって支承される（図５参照）。
【００３２】
［タンクレールについて］
図１０と図１１に示すように、本体枠３０の機構装着体１６０には、そのタンク装着部１６１に下方に接近してレール装着部１７０が一体に形成され、そのレール装着部１７０にレール構成部材１７６が装着されることでタンクレール１７１が構成されるようになっている。
すなわち、この実施例において、レール装着部１７０は、本体枠３０の後段部３３の上部横方向部分が所定深さ凹まされた状態で形成されており、その凹部の奥側壁をタンクレール１７１の前壁部１７２とし、その凹部の下縁部に沿って一端（図１１に向かって左端）から他端（図１１に向かって右端）に向けて下傾する傾斜状のレール棚１７４が形成されている。そして、レール棚１７４の横方向に延びる上向き面をレール受け部１７３としている。
【００３３】
図５と図１０に示すように、レール装着部１７０に装着されてタンクレール１７１を構成するレール構成部材１７６は、レール装着部１７０の前壁部１７２との間にレール通路を構成する後壁部１７７と、傾斜状をなす下板部１７８と、その下板部１７８の上面の前後方向中央部に沿って突設されレール通路を前後２列に区画する仕切り壁１７９とを一体に備えて形成されている。このレール構成部材１７６は、レール装着部１７０に対し適宜の取付手段によって装着され、これによって、前後２列のレール通路を備えたタンクレール１７１が構成されるようになっている。
そして、球タンク１６５の放出口１６８から放出（自重によって落下）された球がタンクレール１７１の前後２列のレール通路の一端部においてそれぞれ受けられた後、球が自重によってレール通路に沿って転動することでレール通路の他端部に向けて流れるようになっている。
また、この実施例において、レール構成部材１７６は、透明な合成樹脂材より形成され、これによって、レール通路内の球の流れ状態が、レール構成部材１７６の後壁部１７７を透して視認可能となっている。
【００３４】
図５に示すように、タンクレール１７１（レール装着部１７０）の前壁部１７２は、遊技盤１２０の後側に突出する装備品、例えば、役物装置１４０の役物本体１４１の後部の上端部との干渉を避けるための第１空間部Ｓ１を隔てた状態で設けられている。
また、この実施例において、図５に示すように、本体枠３０の後段部３３の後端部をなるレール棚１７４の後端と、タンクレール１７１の後壁部１７７は、球タンク１６５の後側壁と略同一面をなしている。
言い換えると、球タンク１６５の後壁部１６９に対しタンクレール１７１の後壁部１７７が略同一面となる位置までタンクレール１７１が遊技盤１２０の後面より後方に離隔して配置されている。これによって、遊技盤１２０の後側とタンクレール１７１の前壁部１７２との間に役物装置１４０の役物本体１４１の後部との干渉を避けるための第１空間部Ｓ１が設けられるようになっている。
【００３５】
また、図１０に示すように、レール装着部１７０の上方には、レール通路を流れる球が上下に重なることなく整列させる整流体１９０がその上部において軸１９１を中心として揺動可能に装着されている。この整流体１９０には、その中央部から下部において錘が設けられている。
【００３６】
［球払出装置について］
図１０と図１１に示すように、本体枠３０の機構装着体１６０の片側（図に向かって右側）寄りの上下方向には、次に述べる球払出装置２１０に対応する縦長の払出装置装着部２００が形成されている。
図６と図１１に示すように、払出装置装着部２００は、後方に開口部をもつ凹状に形成されている。また、払出装置装着部２００の段差状をなす奥壁部（前壁部）２０４の所定位置には、球払出装置２１０の払出用モータ２２０が突出可能な開口部２０５が形成されている。
図３と図６に示すように、球払出装置２１０は、その装置本体２１１が払出装置装着部２００の凹部と略同じ大きさの縦長のボックス形状をなし、その装置本体２１１に払い出しに関する各種部品が装着されることでユニット化されている。そして、球払出装置２１０は、その装置本体２１１において、払出装置装着部２００の凹部の後方開口部から嵌込まれて適宜の取付手段（例えば、弾性クリップ、係止爪、ビス等の取付手段）によって装着されるようになっている。
【００３７】
この実施例において、球払出装置２１０の装置本体（ユニット本体）２１１は、前ベース体２１１ａ、中間構成部材２１１ｂ及び後カバー体２１１ｃを備え構成され、これら各構成部材によってタンクレール１７１の前後のレール通路の出口にそれぞれ連通する流入口を有する球通路が形成されている。
また、装置本体２１１には、その内部に形成された前後２列の球通路の下流部が二股状に分岐されて前後２列の賞球及び貸球用通路と球抜き用通路とがそれぞれ形成されている。そして賞球及び貸球用球通路と球抜き用球通路との分岐部には、球を賞球及び貸球用球通路と球抜き用球通路とのいずれかに振り分けて払い出すための回転体よりなる払出部材２１５が正逆回転可能にかつ払出用モータ２２０を駆動源として配設されている。そして、払出用モータ２２０の正回転時には、これに基づいて正回転する払出部材２１５によって球が賞球及び貸球用球通路に払い出される。また、払出制御基板ボックス６８に収納された払出制御基板６９上に配置された図示しない球抜きスイッチを操作することで、払出用モータ２２０が逆回転し、これに基づいて逆回転する払出部材２１５によって球が球抜き通路（図示しない）に排出されるようになっている。
また、球払出装置２１０の装置本体２１１の少なくとも後カバー体２１１ｃ（この実施例において、中間構成部材２１１ｂ及び後カバー体２１１ｃ）は、透明な合成樹脂材により形成され、これによって、装置本体２１１の球通路内の球の流れ状態が後カバー体２１１ｃ及び中間構成部材２１１ｂを透して視認可能となっている。
【００３８】
図６に示すように、払出装置装着部２００の凹部に球払出装置２１０がその装置本体２１１において装着された状態において、装置本体２１１と遊技盤１２０との間（奥壁部２０４と遊技盤１２０後側との間）には、第１空間部Ｓ１と前後方向に略同一レベルにおいて第２空間部Ｓ２が設けられている。これによって、レール通路と球通路とが前後方向に略同一レベルで配置されている。
また、本体枠３０の後段部３３の後端（すなわち払出装置装着部２００の周壁部後端２００ａ、レール棚１７４の後端１７４ａ）、球タンク１６５、タンクレール１７１及び球払出装置２１０の装置本体２１１のそれぞれの後面は略同一面をなしている（図１０参照）。
【００３９】
また、この実施例において、図６と図７に示すように、装置本体２１１のベース体の前側には、回転体を正逆方向に回転駆動するための払出用モータ２２０が取付板２２１を間に挟んで装着されている。これによって払出用モータ２２０は払出装置装着部２００の奥壁部２０４の開口部２０５を通して第２空間部Ｓ２内に突出している。
また、払出用モータ２２０の取付板２２１の左右両側部には同払出用モータ２２０の両側方に沿って側壁部２２３が形成されている。そして、これら両側壁部２２３によって払出用モータ２２０が保護されるとともに、同払出用モータ２２０の熱が取付板２２１の両側壁部２２３に伝導されて放熱され、これによって払出用モータ２２０の過熱による損傷を防止するようになっている。
【００４０】
［外部端子基板と分電基板の配置について］
図１０と図１１に示すように、機構装着体１６０の上部の片側（ヒンジ寄り側）には、第１基板装着部２３０と第２基板装着部２３５とが段差状をなして形成され、下段の第１基板装着部２３０には外部端子基板２３１が装着され、上段の第２基板装着部２３５には分電基板２３６が基板ケース２３７に覆われた状態で装着されている。
【００４１】
［後カバー体について］
図３、図５及び図１４に示すように、遊技盤１２０後面に配置された図柄制御基板ボックス１４６及び主制御基板ボックス１５１の後端部は機構装着体１６０の中央部に開口された窓開口部に向けて突出している。そして、機構装着体１６０の窓開口部の一側壁を構成する側壁部と他側壁を構成する払出装置装着部２００の片側壁との間には、後カバー体２５０がその一側を支点として開閉可能に装着されている。
そして、遊技盤１２０後面の図柄制御基板ボックス１４６全体及び主制御基板ボックス１５１の上部が後カバー体２５０によって覆われるようになっている。
【００４２】
［本体枠側と遊技盤側とのコネクタ接続及び各スイッチの接続構成について］
本体枠側の回路基板及び各スイッチと遊技盤側の各回路基板の接続をブロック図で表した図１２において、まず、本体枠３０側においては、交流電源ＡＣから供給される交流電力が、分電基板２３６、電源スイッチＳ１を経て電源基板６７に流れ、ここで直流電力に変換されて払出制御基板６９に供給される。
また、払出制御基板６９は、球（遊技媒体）を払い出す数を記憶するＲＡＭ６９ａを備え、主制御基板１５２から送信される払出用信号に従って球を払い出す制御（払出用モータ２２０の作動制御）を行うようになっている。
また、交流電源ＡＣから供給される交流電力は、分電基板２３６においてインタフェース基板２４０にも分配供給される。
インタフェース基板２４０は、球貸機２５０と払出制御基板６９との間に介在され、球貸に関する信号を球貸機２５０と払出制御基板６９との間で送受信可能に電気的に接続するようになっている。
【００４３】
遊技盤１２０側に配置された主制御基板１５２は遊技の進行を制御し、副制御基板１５６は周辺機器を制御する。すなわち主制御基板１５２からの遊技に関する信号を受けた副制御基板１５６は、図柄制御基板１４６を介して図柄表示装置１４５に表示を行う。
また、図柄制御基板１４６は、遊技用信号を表示用信号に変換して図柄表示装置１４５に伝達する。図柄表示装置（液晶表示器、ＥＬ表示器，プラズマ表示器，ＣＲＴ等）１４５には大当たりの抽選図柄が変動表示可能となっている。
【００４４】
また、本体枠３０の遊技盤装着枠１００の前方からその嵌込み枠部１０２内に遊技盤１２０を嵌込む動作によって、本体枠側第１、第２のコネクタ１１１、１１２に対し遊技盤側第１、第２のコネクタ１２５、１２６がそれぞれ差し込まれて接続される。そして、第１の両コネクタ１１１、１２５によって、本体枠３０側の払出制御基板６９と、遊技盤１２０側の主制御基板１５２とが電気的に接続され、第２の両コネクタ１１２、１２６によって本体枠３０側のスピーカ５７と副制御基板１５６とが電気的に接続されるようになっている。
【００４５】
［ＲＡＭ消去スイッチについて］
本体枠３０側の払出制御基板６９にはＲＡＭ消去スイッチ（記録消去操作部に相当する）Ｓ２が電気的に接続されている。そして、ＲＡＭ消去スイッチＳ２を操作することで、払出制御基板６９のＲＡＭ（遊技データ記録保持手段に相当する）６９ａおよび主制御基板１５２のＲＡＭ（遊技データ記録保持手段に相当する）１５２ａの記憶内容が消去（初期化）されるようにっている。
すなわち、停電等によって電源が遮断されたときには、電源復帰後においても継続して遊技を行うことができるように、払出制御基板６９及び主制御基板１５２に設けられたＲＡＭ６９ａ、１５２ａには電源遮断時の記憶内容がそのまま保持されるようになっている。このため、ホール終了後、店員によってＲＡＭ消去スイッチＳ２が操作されることで、主制御基板１５２において初期化処理され、これによって、払出制御基板６９及び主制御基板１５２のＲＡＭ６９ａ、ＲＡＭ１５２ａの記憶内容が消去（初期化）されるようになっている。
【００４６】
［電源スイッチ及びＲＡＭ消去スイッチの配置について］
図８に示すように、本体枠３０の前側には、ガラス扉（開閉扉に相当する）８０を開放することで本体枠３０の前側から操作可能な電源スイッチＳ１が配置されている。
また、本体枠３０の前側には、ガラス扉８０を開放することで本体枠３０の前側から操作可能なＲＡＭ消去スイッチＳ２が配置されている。
この実施例において、本体枠３０の前枠体３５前面の下部領域内の上側部分に形成された発射レール装着部４１の片側（ガラス扉８０の自由端側に対応する側）において電源スイッチＳ１とＲＡＭ消去スイッチＳ２とが上下に隣接して配置されている。
【００４７】
前記したようにして、電源スイッチＳ１及びＲＡＭ消去スイッチＳ２が本体枠３０の前側に配置されることで、これら電源スイッチＳ１及びＲＡＭ消去スイッチＳ２を操作する場合には、ガラス扉８０を開放することによって容易に操作することができ使い勝手の向上を図ることができる。
すなわち、従来においては、電源スイッチＳ１あるいはＲＡＭ消去スイッチＳ２は遊技機の本体枠の後側に配置されているのが一般的であり、電源スイッチＳ１あるいはＲＡＭ消去スイッチＳ２を操作する場合には、外枠に対し本体枠を開放した状態で行うことになる。
本体枠には、ガラス扉の他、遊技盤、球タンク、タンクレール、球払出装置等の遊技構成部材が組み付けられ、非常に重くなる。このため、外枠に対する本体枠の開閉がし難い。
これに対し、ガラス扉８０を開放することで本体枠３０の前側において電源スイッチＳ１及びＲＡＭ消去スイッチＳ２が操作可能となり、使い勝手の向上を図ることができる。
また、本体枠３０前側において、ガラス扉８０の自由端側に対応する側に電源スイッチＳ１あるいはＲＡＭ消去スイッチＳ２が配置されることでガラス扉８０を小さい開き角度においても容易に操作することができる。
また、電源スイッチＳ１とＲＡＭ消去スイッチＳ２とが接近して配置されることによって、これら電源スイッチＳ１とＲＡＭ消去スイッチＳ２とを共に操作する必要がある場合には各操作を簡便に行うことができる。
【００４８】
また、図１、図２、図８及び図１３に示すように、本体枠３０とガラス扉（開閉扉に相当する）８０との対向面のうち、少なくとも一方の部材の対向面には、電源スイッチＳ１及びＲＡＭ消去スイッチＳ２の外周を取り囲むようにして囲い壁２６０（又は２６１）が突設される一方、他方の部材の対向面には、囲い壁２６０（又は２６１）の開口部を覆蓋する蓋部２６５（又は２６６）が形成されている。
この実施例において、図１３に示すように、本体枠３０の前面及びガラス扉８０の後面に、電源スイッチＳ１及びＲＡＭ消去スイッチＳ２の外周を取り囲むようにして略環状をなす囲い壁２６０、２６１がそれぞれ突設されている。
また、この実施例において、本体枠３０の囲い壁２６０はガラス扉８０の囲い壁２６１の外周に嵌合する大きさに形成されている。そして、ガラス扉８０の囲い壁２６１の開口部を塞ぐ蓋部２６６が本体枠３０の前面の一部によって形成されている。
【００４９】
前記構成において、図１３に示すように、ガラス扉８０が閉じられることで、電源スイッチＳ１及びＲＡＭ消去スイッチＳ２が囲い壁２６０、２６１及び蓋部２６５によって収納される。このため、本体枠３０とガラス扉８０との僅かな隙間から異物が侵入され、電源スイッチＳ１あるいはＲＡＭ消去スイッチＳ２が不正操作される不正行為を未然に防止することができる。
また、この実施例において、本体枠３０の囲い壁２６０とガラス扉８０の囲い壁２６１とが相互に嵌合して電源スイッチＳ１及びＲＡＭ消去スイッチＳ２が二重に覆われるため、異物の侵入防止に効果が大きい。
また、ガラス扉８０が開かれることで、本体枠３０の前面に電源スイッチＳ１及びＲＡＭ消去スイッチＳ２が操作可能に露出する。
このため、本体枠３０の前面に、電源スイッチＳ１及びＲＡＭ消去スイッチＳ２を収納するための専用の収納ケースを製作して開閉可能に装着する手間を省くことができ、使い勝手に優れるという効果もある。
【００５０】
［外枠の下受け板について］
図１７と図１８に示すように、外枠１０の前側下部に装着されて本体枠３０の下面を受ける下受け板１１は、基材部１２と、前装飾体１４によって構成されている。
下受け板１１の基材部１２は、木材（例えば、木質合板）によって形成され、外枠１０の前下部に釘やビス等によって取り付けられている。この基材部１２には、前装飾体１４を装着するための複数（図１８では３つ）の組付孔１３が左右方向に所定間隔を隔てて貫設されている。
図１８と図１９に示すように、下受け板１１の前装飾体１４は、合成樹脂材によって形成され、かつ基材部１２の前面、上面、及び左右両側部を覆う前面板１５、上面板１６及び左右の両側面板１７を一体に備えて構成されている。
【００５１】
図１８と図１９に示すように、前装飾体１４の前面板１５の後面（裏面）には、基材部１２の複数の組付孔１３に対応する係止クリップ１８が突設されている。これら複数の係止クリップ１８は、弾性的に縮開可能に形成され、その先端部には組付孔１３の孔縁に係合する係止部が形成されている。そして、前装飾体１４は、その複数の係止クリップ１８が組付孔１３の組付孔１３の前側から嵌込まれることで、各係止クリップ１８の係止部が組付孔１３の孔縁に弾性的に係着する。これによって、基材部１２の前面、上面、及び左右両側部を覆うようにして前装飾体１４が装着されるようになっている。
また、図１７〜図１９に示すように、下受け板１１の前装飾体１４の上面板１６の奥部（後部）には、異物の侵入を阻止するための横断面略鉤形状の突出縁１６ａが突設されている。
また、図１７と図１９に示すように、下受け板１１の上面（前装飾体１４の上面板１６の上面）には、その左右方向中央部よりも自由端側（ヒンジと反対側）寄り部分には、当て板装着部が凹設され、その当て板装着部には、金属板等よりなる耐摩耗性の当て板１９が下受け板１１の上面（前装飾体１４の上面板１６の上面）と略同一面をなしてビス等によって固着されている。
【００５２】
［本体枠開閉用ヒンジ機構の下のヒンジ金具について］
図１と図２に示すように、本体枠開閉用ヒンジ機構２０の上部の外枠側ヒンジ金具２１と本体枠側ヒンジ金具２６のうち、外枠１０の一側部上面に固定されて前方に向けて水平状に張り出す外枠側ヒンジ金具２１のヒンジ板にはヒンジ孔が形成されている。
一方、本体枠３０の一側上端部に固定されて前方に向けて水平状に張り出す本体枠側ヒンジ金具２６のヒンジ板には、外枠側ヒンジ金具２１のヒンジ孔の上方から嵌込まれるヒンジピンが下向きに突設されている。
【００５３】
図１７と図１８に示すように、本体枠開閉用ヒンジ機構２０の下部の外枠側ヒンジ金具２１と本体枠側ヒンジ金具２６のうち、外枠側ヒンジ金具２１は、所要板厚の金属板が直角状に折り曲げられて形成され、鉛直方向の取付板２２と、水平方向に張り出すヒンジ板２３を一体に備えている。
また、下の外枠側ヒンジ金具２１は、その取付板２２が外枠１０の側板内面の下部にビス又は釘によって取り付けられるとともに、ヒンジ板２３が下受け板１１の一端部上面にビス又は釘によって取り付けられている。
また、外枠１０に下の外枠側ヒンジ金具２１が装着された状態において、同外枠側ヒンジ金具２１のヒンジ板２３の先端は下受け板１１の前面から所定長さだけ水平状に突出されている。さらに、ヒンジ板２３の先端部上面にはヒンジピン２５が上方に向けて突出されている。
【００５４】
一方、図１４〜図１６に示すように、下の本体枠側ヒンジ金具２６は、所要板厚の金属板が直角状に折り曲げられて形成され、鉛直方向の取付片２７と、水平方向に張り出すヒンジ板２８を一体に備えている。
下の本体枠側ヒンジ金具２６は、その取付片２７が本体枠３０の後面の一端部寄り下部にビスによって取り付けられている。
また、下の本体枠側ヒンジ金具２６のヒンジ板２８は、本体枠３０（前枠体３５）の後面の一端部寄り下面に切り欠き状に形成されたヒンジ金具用切欠部４８を通して本体枠３０（前枠体３５）の前面から所定長さだけ水平状に突出され、その先端部にはヒンジピン２５の上方から嵌込まれるヒンジ孔２９が貫設されている。
【００５５】
すなわち、外枠１０に対し、本体枠３０は、上の外枠側ヒンジ金具２１のヒンジ孔に上の本体枠側ヒンジ金具２６のヒンジピンが上方から嵌込まれるとともに、下の外枠側ヒンジ金具２１のヒンジピン２５に下の本体枠側ヒンジ金具２６のヒンジ孔２９が上方から嵌込まれる。そして、上下の外枠側ヒンジ金具２１のヒンジ板２３の上面を支承面として、上下の本体枠側ヒンジ金具２６のヒンジ板２８の下面が支承された状態で開閉可能に装着されている。これによって、本体枠３０の開閉動作時において、外枠側ヒンジ金具２１のヒンジ板２３の支承面によって本体枠３０の荷重が良好に支えられながら、本体枠３０が開閉動作されるようになっている。
【００５６】
また、この実施例において、図２と図１６に示すように、外枠１０に対し、本体枠開閉用ヒンジ機構２０によって本体枠３０が開閉可能に装着された状態において、外枠１０の下受け板１１の上面（前装飾体１４の上面板１６の上面）に接して本体枠３０（前枠体３５）が隙間なく支承されるように、本体枠３０（前枠体３５）の下面には、ヒンジ金具用切欠部４８が形成されている。このヒンジ金具用切欠部４８は、外枠側ヒンジ金具２１のヒンジ板２３の板厚と本体枠側ヒンジ金具２６のヒンジ板２８の板厚を加えた大きさに形成されている。これによって、外枠１０の下受け板１１の上面と、本体枠３０（前枠体３５）下面との間に異物が不測に侵入されることを防止するようになっている。すなわち、外枠１０の下受け板１１の上面と、本体枠３０（前枠体３５）下面との間に、ヒンジ板２３、２８の板厚に対応する隙間が生じると、その隙間から異物が不測に侵入され、不正行為がなされることがあるが、前記したように、隙間を抑えることで異物の不測の侵入による不正行為を防止することができる。
また、ヒンジ金具用切欠部４８は、本体枠３０を合成樹脂材によって一体成形すると同時に、本体枠３０に切り欠き状に形成されており、後加工によってヒンジ金具用切欠部４８を形成する手間を省くことができる。
【００５７】
［本体枠の滑走用突部について］
図１４と図２１に示すように、本体枠３０の下部には、同本体枠３０が閉じられるときに下受け板１１の上縁部（この実施例では当て板１９の上面前縁）に接して滑走することで本体枠３０の下傾姿勢を矯正する滑走用突部３８が、左右方向に所定の長さをもって本体枠３０の成形と同時に一体に形成されている。
滑走用突部３８は、その根元部の下端面が、本体枠３０の下端面と略同一面をなして連続し、かつその根元部から上方に向けて略円弧状、湾曲状、傾斜状等をなして突出されている。
さらに、滑走用突部３８は、その突出量がヒンジ側から自由端側に向けてしだいに大きく設定され、これによって、本体枠が閉じられるときには、滑走用突部３８のヒンジ側から自由端側に向けて下受け板１１の上縁部（この実施例では当て板１９の上面前縁）に順次に接して滑走するようになっている。
【００５８】
この実施例において、図２１と図２３に示すように、本体枠３０の前枠体３５の下端面３５ａは、その厚さ方向（前後方向）の中央部から後端にわたって所定角度の面取状をなす傾斜面３７が形成されている。
そして、前枠体３５の下端の傾斜面３７のうち、外枠１０の下受け板１１上面の当て板１９に対応する自由端寄り部分に左右方向に所定の長さをもち、かつ前後方向に延びる滑走用突部３８が突設されている。
また、図２１に示すように、滑走用突部３８は、本体枠３０の前枠体３５の下端面３５ａに対し左右方向に所定間隔を隔てて平行状に突設された複数のリブ状のリブ状突部３９によって構成されている。これら複数のリブ状突部３９は、略円弧状、又は湾曲状、又は傾斜状をなし、各リブ状突部３９の根元部の下端部は、前枠体３５の下端面と略同一面をなしている。
さらに、複数個のリブ状突部３９の突出面は、外枠１０に対し本体枠３０を閉じ位置まで閉じる直前位置において、外枠１０の下受け板１１上面の当て板１９にそれぞれ当接して受けられるようになっている。
【００５９】
［この実施例に係る遊技機の作用・効果について］
上述したように構成されるこの実施例に係る遊技機において、前枠体３５、遊技盤装着枠１００、及び機構装着体１６０を合成樹脂材によって一体成形することで本体枠３０が構成される。これによって遊技機の構成部材や組付工数の削減を図ることができる。
また、この実施例において、図１０と図１１に示すように、前枠体３５、遊技盤装着枠１００、及び機構装着体１６０を一体に備えた合成樹脂製の本体枠３０は、前段部３１、中段部３２及び後段部３３を有して複数段の段差状に形成されている。このため、前後方向の奥行き寸法が大きい本体枠３０であっても、その本体枠３０を合成樹脂材によって強固に形成することができると共に、成形型に対する本体枠３０の脱型も容易となる。
【００６０】
さて、本体枠３０の開閉動作時には、本体枠３０は、それ自身の重量や本体枠３０に装着される各種装置、部材の重量により自由端側が下傾した状態となる。これを矯正しつつ閉じるため、滑走用突部３８（複数個のリブ状突部３９）は、その突出量がヒンジ側が小さく自由端側に向けてしだいに大きくなるように設定されている。
この実施例において、滑走用突部３８は、左右方向に所定間隔を保って形成された複数のリブ状突部３９によって構成される。
このため、本体枠３０が閉じられるときには、滑走用突部３８のヒンジ側最端のリブ状突部３９が当て板１９の上面の前縁に当接しながら本体枠３０をその高さに相当する分だけ持ち上げる。
引き続いて、前記最端のリブ状突部３９に隣接するリブ状突部３９が当て板１９に当接しながら本体枠３０をその高さに相当する分だけ持ち上げる。
このようにして、複数のリブ状突部３９により本体枠３０を順次に持ち上げながら閉じ位置まで閉じることができる。このため、本体枠３０の自由端側の下傾を無理なく良好に矯正しつつ外枠１０に対し円滑に閉じることができる。
そして、本体枠３０の閉じ位置の直前位置において、複数個のリブ状突部３９の円弧面（又は湾曲面、又は傾斜面）が外枠１０の下受け板１１上面の当て板１９にそれぞれ接触して滑走することで、本体枠３０の自由端側が僅かではあるが持ち上げられながら閉じ位置まで良好に閉じられるようになっている。
また、外枠１０に対し本体枠３０を所定位置まで開放する場合においても閉じる場合と略同様にして軽快に開き動作することができる。
【００６１】
すなわち、滑走用突部３８の複数個のリブ状突部３９の側面形状（又は横断面形状）が左右方向の全長にわたって均一に形成され、その突出量が変化しない場合、本体枠３０がその一側の本体枠開閉用ヒンジ機構２０のヒンジ軸線を中心として閉じられるときに、滑走用突部３８のヒンジ側端部のリブ状突部３９に対し本体枠３０の荷重が集中的に作用する。
これによって、本体枠３０の閉じ動作が抑制され、大きい閉じ力が必要となるとともに、滑走用突部３８のヒンジ側端部のリブ状突部３９が損傷されたり、あるいは摩耗されることがある。
これに対し、滑走用突部３８の複数個のリブ状突部３９の突出量がヒンジ側から自由端側に向けてしだいに大きく設定されることで、滑走用突部３８におけるヒンジ側端部のリブ状突部３９に対し本体枠３０の荷重が集中的に作用することを軽減することができるとともに、下傾姿勢にある本体枠３０を滑走用突部３８の複数個のリブ状突部３９によって少しずつ持ち上げながら本体枠３０の姿勢を矯正して閉じることができる。
この結果、本体枠３０の下傾姿勢が顕著である場合においても外枠１０に対し本体枠３０を軽快に閉じることができる。さらに、比較的小さい閉じ力において本体枠３０を円滑に閉じ動作することができるとともに、滑走用突部３８のヒンジ側端部のリブ状突部３９が損傷されたり、あるいは摩耗されることを軽減することができ、耐久性の向上を図ることができる。
【００６２】
また、合成樹脂製の本体枠３０と一体に形成される滑走用突部３８（複数個のリブ状突部３９）は、金属製のものと比べ摩耗されやすいが、前記したようにして摩耗を防止することによって、耐久性の向上を図ることができる。
しかも、滑走用突部３８の複数個のリブ状突部３９は、その根元部の下端を本体枠３０の下端面に略同一面に連続させることで、外枠１０に対し本体枠３０が閉じられた状態において、本体枠３０の下端面が外枠１０の下受け板１１の上端面に当接して安定よく受けられるとともに、本体枠３０の下端面と、外枠１０の下受け板１１の上端面との間に、滑走用突部３８の複数個のリブ状突部３９による隙間が生じない。
この結果、外枠１０の下受け板１１の上端面と本体枠３０の下端面との間の隙間からワイヤ等の異物が不測に侵入されて、不正行為がなされることを防止することができる。
【００６３】
また、この実施例において、図２１〜図２３に示すように、本体枠３０の下端面には、その厚さ方向の略中央部から後端にわたって所定角度の面取り状の傾斜面３７が形成されている。そして、滑走用突部３８は傾斜面３７に突設されている。
このため、本体枠３０の開閉動作時において、本体枠３０の下端面が、同下端面に形成された面取り状の傾斜面３７によって、外枠１０の下受け板１１の上面前縁に接触することが避けられるため、この分だけ本体枠３０の開閉動作を軽快に行うことができる。
さらに、本体枠３０の下端面の面取り状の傾斜面３７に滑走用突部３８が形成されることによって、本体枠３０の後方に滑走用突部３８を突出させる必要がない。
さらに、本体枠３０が閉じられる際、滑走用突部３８が外枠１０の下受け板１１の上縁部に接して滑走するときに滑走用突部３８に作用する荷重を面取り状の傾斜面３７において良好に受け支えることができ、滑走用突部３８に作用する荷重によって同滑走用突部３８が破損されることを防止することができる。
すなわち、本体枠３０の後側下部に滑走用突部３８を後方に向けて突出させると、滑走用突部３８が外枠１０の下受け板１１の上縁部に接して滑走するときに滑走用突部３８に作用する荷重によって滑走用突部３８が損傷されやすくなる。
また、本体枠３０の開放時において、滑走用突部３８が突起物となり、異物が引っ掛ったり、あるいは異物が衝突する等の不具合が発生する場合がある。
これに対し、本体枠３０の下端面の面取り状の傾斜面３７に滑走用突部３８を形成することによって、前記不具合を防止することができる。
【００６４】
また、滑走用突部３８は、左右方向に所定間隔を保って形成された複数のリブ状突部３９によって構成されるため、合成樹脂成形の「ヒケ」による凹凸の歪みが複数のリブ状突部３９やその近傍に発生することを防止することができ、複数のリブ状突部３９を精度よく形成することができる。
【００６５】
［この発明の他の実施例について］
なお、この発明は前記実施例に限定するものではない。
例えば、前記実施例において、本体枠３０は、前枠体３５、遊技盤装着枠１００、及び機構装着体１６０を一体に備え、かつ合成樹脂材によって一体成形される場合を例示したが、前枠体３５と遊技盤装着枠１００を合成樹脂材によって一体成形したものを本体枠とし、その本体枠（前枠体３５）の後側に、同本体枠とは別個に形成された機構装着体（機構板、裏機構板、裏セット板等とも呼ばれることがある）を組み付けた構造であっても、この発明を実施することができる。
また、前記実施例においては、本体枠３０の前枠体３５の下端面３５ａに形成された面取状の傾斜面３７に、滑走用突部３８を構成する複数のリブ状突部３９が突設される場合を例示したが、例えば、図２４に示すように、本体枠３３０の後面下部に、左右方向に所要とする長さを有する横断面円弧状、湾曲状、傾斜状等の一つの滑走用突部（又は複数のリブ状突部よりなる滑走用突部）３３８を本体枠３３０の下端面３３０ａに連続して一体に突設してもよい。
また、図２５に示すように、本体枠４３０の下端面４３０ａに、左右方向に所要とする長さを有する横断面円弧状、湾曲状、傾斜状等の一つの滑走用突部（又は複数のリブ状突部よりなる滑走用突部）４３８を一体に突設してもよい。
但し、図２４及び図２５に示す場合においても、本体枠３３０（４３０）が閉じられるときには、滑走用突部３３８（４３８）が、そのヒンジ側から自由端側に向けて外枠１０の下受け板１１の上縁部に順次に接して滑走するように、滑走用突部３３８（４３８）の突出量がヒンジ側から自由端側に向けてしだいに大きく設定される。
【図面の簡単な説明】
【００６６】
【図１】この発明の実施例に係る遊技機の外枠の一側に本体枠が開かれその本体枠の一側にガラス扉が開かれた状態を示す斜視図である。
【図２】同じく遊技機の前側全体を示す正面図である。
【図３】同じく遊技機の後側全体を示す背面図である。
【図４】同じく遊技機の後側上部を拡大して示す部分背面図である。
【図５】同じく図４のＶ−Ｖ線に基づく側断面図である。
【図６】同じく図４のＶＩ−ＶＩ線に基づく側断面図である。
【図７】同じく遊技機の本体枠と遊技盤とを分離して斜め右上前方から示す斜視図でである。
【図８】同じく遊技機の本体枠に各種部材が組み付けられた状態を斜め右上前方から示す斜視図である。
【図９】同じく本体枠単体を斜め右上前方から示す斜視図である。
【図１０】同じく本体枠を斜め右上後方から示す斜視図である。
【図１１】同じく本体枠単体を斜め右上後方から示す斜視図である。
【図１２】同じく本体枠側の回路基板及び各スイッチと遊技盤側の各回路基板の接続状態を示すブロック図である。
【図１３】同じく本体枠、電源スイッチ、ＲＡＭ消去スイッチ、ガラス扉、囲い壁及び蓋部の関係を拡大して示す平断面図である。
【図１４】同じく外枠と本体枠とを分離した状態を示す斜視図である。
【図１５】同じく外枠に対し本体枠が閉じられた状態の本体枠開閉用ヒンジ機構の下の外枠側ヒンジ金具と下の本体枠側ヒンジ金具を示す斜視図である。
【図１６】同じく本体枠開閉用ヒンジ機構の下の外枠側ヒンジ金具と下の本体枠側ヒンジ金具を示す正面図である。
【図１７】同じく外枠の下受け板、外枠側ヒンジ金具及び当て板の配設状態を示す斜視図である。
【図１８】同じく外枠の下受け板の基材部と前装飾体とが分離された状態を示す斜視図である。
【図１９】同じく外枠の下受け板の当て板と本体枠の下端部の滑走用突部との関係を示す断面図である。
【図２０】同じく図１９のＸＸ−ＸＸ線に基づく断面図である。
【図２１】同じく本体枠の下端部の滑走用突部を斜め下方から示す斜視図である。
【図２２】同じく外枠の下受け板の当て板と、本体枠の下端部の滑走用突部のヒンジ側リブ状突部との関係を示す断面図である。
【図２３】同じく外枠の下受け板の当て板と、本体枠の下端部の滑走用突部の自由端側リブ状突部との関係を示す断面図である。
【図２４】同じく本体枠の下部に後方に突出する滑走用突部が突設された実施態様を示す断面図である。
【図２５】同じく本体枠の下端面に滑走用突部が突設された実施態様を示す断面図である。
【符号の説明】
【００６７】
１０  外枠
１１  下受け板
１２  基材部
１４  前装飾体
１９  当て板
２０  本体枠開閉用ヒンジ機構
２１  外枠側ヒンジ金具
２６  本体枠側ヒンジ金具
３０  本体枠
３５  前枠体
３８  滑走用突部
３９  リブ状突部
４８  ヒンジ金具用切欠部
【図１】
2005261936.tif 000003
【図２】
2005261936.tif 000004
【図３】
2005261936.tif 000005
【図４】
2005261936.tif 000006
【図５】
2005261936.tif 000007
【図６】
2005261936.tif 000008
【図７】
2005261936.tif 000009
【図８】
2005261936.tif 000010
【図９】
2005261936.tif 000011
【図１０】
2005261936.tif 000012
【図１１】
2005261936.tif 000013
【図１２】
2005261936.tif 000014
【図１３】
2005261936.tif 000015
【図１４】
2005261936.tif 000016
【図１５】
2005261936.tif 000017
【図１６】
2005261936.tif 000018
【図１７】
2005261936.tif 000019
【図１８】
2005261936.tif 000020
【図１９】
2005261936.tif 000021
【図２０】
2005261936.tif 000022
【図２１】
2005261936.tif 000023
【図２２】
2005261936.tif 000024
【図２３】
2005261936.tif 000025
【図２４】
2005261936.tif 000026
【図２５】
2005261936.tif 000027